(57)【特許請求の範囲】
【請求項１】
軸筒の後方にノック操作により軸筒に対し前後退位置に係止される回転カム機構部が配設され、その回転カム機構部の前方にリターンスプリングにより後方に附勢されたリフィールが設けられ、軸筒後方の一側面より突出したクリップがその先端の玉部に係止面を形成し、その玉部が適宜嵌入する窓部が軸筒側面に穿設されており、一方、ノック操作により回転せずに前後動するノック棒に設けたカム斜面と軸筒の内面又は軸筒に固定される部品に設けたカム斜面のそれぞれに迎合する軸方向２箇所にカム斜面を回転子に形成し、更に回転子にはクリップ玉部係止面と係止する突状の係止部を有するよう構成されて、ノック操作に伴うノック棒の前進で、前記カム斜面間の押圧作用で回転子が一定角度だけ回動して、前記クリップ玉部の係止面に前記回転子に設けた係止部が係合或いは離脱してリフィルの筆記先端部が軸筒の先端口から出没可能に係止されると共に、前記係合状態でクリップの玉部が軸筒側面から離反する方向に変位された時に係合が外れて筆記先端部が先端口から没入可能となるように構成されたノック式筆記具に於いて、リフィールの後端がクリップ玉部の係止部よりも軸方向前方に設けられる構成となしたことを特徴とするノック式筆記具。
【請求項２】
先端ボールが先端から臨出した状態で抜け止めされたチップ先端のボールカシメの内縁に先端ボールが常時はチップ内部後方のスプリングに押圧されて密接し筆記時に密接状態が解除されるように設けられたチップと、そのチップを先端に止着した継ぎ手部後方のインキ収容部に常温での粘度が１０から５０００ｍＰａ・Ｓの中程度の粘度のインキが充填されて成るボールペンのリフィールに於いて、インキ収容管の後端には空気置換のための空気孔が設けられており、その空気置換孔がインキ収容管の内径の最小径と略同等か、それ以上であることを特徴とする請求項１に記載のボールペンタイプのノック式筆記具。
【請求項３】
スプリングによって常時軸方向後方に押圧されるリフィールのインキ収容管後端と接触する回転子の受け面には孔、溝、突起等の空気流通手段が設けられており、インキ収容管後端には内径又は外径の少なくとも一方に面取りを有する事でインキ収容管と回転子の接触抵抗を減らすように構成されたことを特徴とする請求項１又は２に記載のノック式筆記具。
【発明の詳細な説明】
【０００１】
【産業上の利用分野】
本発明は、軸筒後端に突出したノック部のノック操作で筆記先端部を軸筒先端口から出没可能とするノック式筆記具の改良に関しており、特には低粘度のインキが充填され、且つ、筆記先端部を密閉せずに使用可能なボールペンのリフィールを軸筒に搭載したノック式筆記具に関する改良である。
【０００２】
【従来の技術】
従来知られている油性ボールペンは、それに使用するインキが粘度が数千ｍＰａ・Ｓ以上の高粘度のために、ペン先からインキが流出する際にボールが回転する時の抵抗が大きいため書き味が悪く、筆記の際に先端から流出するインキ量は少なく、ボテ現象があり、筆記描線のムラがあり筆跡濃度が薄いこと、高い筆記圧が必要なことなどの問題がある。それに対して１０ｍＰａ・Ｓ以下の低粘度の水性インキを中綿などの繊維束芯にしみこませたり、万年筆などで利用されるインキ保留体によって内圧を調整するタイプのボールペンやサインペンやマーカーなどの筆記具が知られているが、これらの極低粘度の筆記具には、衝撃に弱い、インキ残量が確認しにくい、ペン先でインキが揮発してかすれてしまう、ペン先からインキが漏れだしてきて服を汚してしまう直流の問題などの理由によって、キャップが不要で操作感や携帯性に優れるノック式筆記具を提供する事が非常に困難であるいくつかの欠点を有している。
この改良として、最近、上記の水性と油性との中間粘度領域（数ｍＰａ・Ｓ〜数千ｍＰａ・Ｓ）のインキを用いる中粘度と呼ばれる水性インキ用ボールペンが開発されている。このものは、先端ボールの回転によって粘度が低下してインキがスムーズに流出する特性、所謂剪断減粘性を有する相対的に低粘性の水性のインキを用いたボールペンである。しかしながら、このものはインキが乾燥しやすい、インキが衝撃でずれやすくペン先に空気が入り込んでしまう、等の欠点があるために通常は筆記先端部をシールするキャップが必要である。又、インキの流出量が多くなり、筆記寿命を延ばすためにインキ収容管の径を太くしてインキの充填量を多くする必要がある。
【０００３】
又、上記油性ボールペンの改良として、耐乾燥性に優れた低粘度の油性インキを用いたボールペンが考えられるが、やはりインキの流出量が多くなり、筆記寿命を延ばすためにインキ収容管の径を太くしてインキの充填量を多くする必要がある。又、インキの粘度が低いために、チップ側を下向きにした場合に先端ボールとチップ抱持部の隙間が生じるとインキが滲みでる（直流）が生じたり、水よりも揮発しにくいベンジルアルコール、プロピレングリコールなどの高級アルコール系の溶剤を主成分とする油性インキがペン先に濡れやすい上に筆記直後にペン先部でインキが乾燥して粘度アップして直流を防止する事ができなくなって直流の問題がさらに多くなる、などの欠点がある。
【０００４】
上記、中粘度の水性インキ、低粘度の油性インキ等の中低粘度インキは何れも１０から５０００ｍＰａ・Ｓ程度の比較的低粘性の中程度の粘度であることからインキが逆流や直流しやすい現象がある。インキが逆流や直流を起こすと衣類などを汚す危険があり、落下やノック衝撃で筆記掠れが生じやすい欠点がある。又、中粘度の水性ボールペンは、揮発や逆流防止の目的で通常はインキ収容管後端にフォロアと称されるグリース状の不乾性物質が充填されるので、インキ蒸発防止の問題はペン先、即ちボールとホルダーの間隙からの蒸発低減化を考えればよい。例えば、油性ボールペンのように蒸気圧がかなり低い溶剤を主として用いたり、水ベースでも水溶性の難揮発溶剤を配合したり、少々揮発しても増粘しにくい増粘剤を使用したり、表面に膜を張って内部が揮発しにくくするインキとすれば、インキの蒸発はあまり考慮しないですむ。
【０００５】
従来のノック式ボールペンでは、筆記体を軸先端より突出させて筆記を行う構造であるため、ポケットに収納するときに、筆記体を収納し忘れてしまうと筆記部が軸外へ突出したままとなり、衣服をインキで汚すことがあった。特にインキの粘度が５０００ｍＰａ・ｓ以下になると服に接触しただけでインキが服の繊維にしみこんでしまう問題が発生する。この問題を解決するためにクリップの係止部と軸もしくは軸内部に設けられた係止部で係止させることでポケットに筆記具を差すときには必ず筆記体が収納される考案が提案されてきた。これらの機構としては軸後端のノック棒を押圧して筆記体の筆記部を軸先端から突出させた後筆記体を収納する場合にはクリップの後端側を押すことで係止を解除して筆記体を収納するものが一般的に採用されているが、この場合には筆記体を突出させる場合と収納させる場合とでは操作部が異なるので操作性が良くないこと、また直液式の筆記体を搭載した場合には、解除時の筆記体にかかる衝撃によって、筆記体内部のインキがずれたり、漏れ出したり、筆記体先端より空気を巻き込んで筆記カスレを生じさせたりする可能性を含んでいるため、筆記体にかかる衝撃を緩衝する機構が必要であるなどの欠点があった。
従来のポケット収納時の収納忘れにより服を汚すことを防止したノック式筆記具特にインク流量が多く寿命を確保するためにどうしても太くなってしまう中粘度タイプの筆記具では、軸を細くすることが難しく、太い外観の物しか作成できなかった。
またリフィールは常時リターンスプリングによって後方へ附勢されており、回転子がこの附勢力を受け止めた状態のままスムーズに回転しなければ動作が所望の状態まで完了せず、不具合が生じやすい。
さらに中粘度ボールペンのようにインキと後端の高粘度のフォロワーとを直接保蔵して内部の気泡を脱泡した状態とする必要のあるリフィールに於いては、製造時は空気孔となる後端からインキやフォロワーを充填する場合が多く、脱泡時には、空気孔にはフォロワーやインキが後方から前方に移動すると共に内部の気泡は空気孔側にスムーズに移動して外気に解放される必要があるが、インキ収容管後方の空気孔が内径の最小内径よりも小さくした場合は上述の脱泡時のフォロワーの移動不良や脱泡不良が発生してしまう欠点を有する場合があったうえに、リフィールの後端付近はどうしてもグリス状のフォロワーで汚れてしまい、鉱物油やシリコンオイル等を主成分とするフォロワーは拭き取りも困難であり、この後端部を服に直接接触させると服が汚れてしまう問題も存在している。
【０００６】
【発明が解決しようとする課題】
本発明の目的は、中低粘度インキが充填されてもインキの逆流、直流現象が生じず筆記先端部の耐乾燥性が維持されてキャップを外して放置することができ、又、落下衝撃、上向き筆記によるインキの逆流やインキの直流を防止する機構を備えて、ノック式筆記具に搭載可能とするリフィールを提供可能とする。又、筆記先端部の突出動作、収納動作が確実で操作性の良い機構を実現し、ポケットへの収納時に衣服を汚す事故を未然に防ぐと共に、部品点数を少なくしてコストの問題と組立性の問題を解決し、筆記体にかかるノック衝撃を少なくしたいという要望にも応えるものであり、さらには、外観を細くすることが可能で、手帳用などの細身の筆記具を提供可能にすると共に、製造時の脱泡の問題を解決し、スムーズな動作性を確保して安定的な性能のノック式筆記具を提供するという課題を解決することを目的としている。
【０００７】
【課題を解決するための手段】
本発明は、上記課題を達成する為に以下の構成を有する。
即ち、請求項１に記載の発明に係るノック式筆記具は、軸筒の後方にノック操作により軸筒に対し前後退位置に係止される回転カム機構部が配設され、その回転カム機構部の前方にリターンスプリングにより後方に附勢されたリフィールが設けられており、ノック棒を押圧する事でペン先の出と収納の動作を繰り返す物である。さらに軸筒後方の一側面に軸筒より外部に突出したクリップが設けられ、その先端の玉部に係止面を、玉部が軸筒外部から内部へ嵌入可能な窓又はスリット状の溝が軸筒側面のクリップ玉部に対向する場所に穿設される。回転カム機構部はノック操作により前後動するノック棒と、ノック棒に設けたカム斜面と軸筒もしくは軸筒に固定される部品の内面に設けたカム斜面のそれぞれに迎合する軸方向の２カ所ににカム斜面を回転子に形成し、更に回転子にはそれらのカム斜面の前方に突状の係止部を備えている。ノック操作に伴うノック棒の前進で、前記カム斜面間の押圧作用で回転子が一定回転だけ回動して、常に軸方向内方に挟み込むようにバネ性を有したクリップの玉部に形成された係止面と前記回転子に設けた係止部とが係合或いは離脱して、リフィルの筆記先端部が軸筒の先端口から出没可能に係止される。前記係合状態つまり筆記部が先端から突出した状態で、ポケットへの収納の時のようにクリップの玉部が軸筒側面から離反する方向に変位された時には係合が外れて筆記先端部が先端口から自動的に没入可能となるように構成されている。さらにはリフィールの後端とクリップの玉部の係止部との位置をリフィールの後端の方が軸方向前方に位置させることで、上述の回転子に設けた係止突起はリフィールとは径方向では重ならず、軸径を細くすることが可能な上に、リフィールには服が直接には接触しない構成とした。
【０００８】
請求項２に記載の発明に係るノック式筆記具は、請求項１に記載のノック式筆記具に於いて、軸筒内に内蔵するリフィールをボールペンのリフィールとして、その先端部のチップでは先端ボールの背面に筆圧がかかった時に当接するボール受け座と、ボール受け座付近にチップ後端から先端ボールにインキを供給可能とするインキ流入溝が形成されている。先端ボールがチップ先端のボール抱持部の内縁に常時は押圧されて密接し、筆記時に密接状態が解除されるように設けられたチップと、そのチップを先端に止着した継ぎ手部後方のインキ収容部に常温でのインキ粘度が１０から５０００ｍＰａ・Ｓの中低粘度の中低粘度のインキが充填されており、インキ収容管の後端付近には筆記時に外部へ流出したインキの体積減少分の空気を内部に流入させるための空気孔をインキ収容管の内径と略同等か、もしくはそれ以上の投影断面積の大きさで設けてある。インキ収容管が押し出し成形で作成される場合はそのままの大きさで尾栓等の部品を挿入しなければよい。ここで使用されるリフィールは望ましくは、インキには筆記時の高剪断下ではインキ粘度が低下し非筆記時のような無剪断又は低剪断下では比較的高粘度となる所謂剪断減粘性を有したインキとした方が良く、そのインキの後端に筆記に伴うインキの消耗に追随して移動する難揮発性でグリス状のフォロアが設けられて成るボールペンのリフィールや、継手内部にペン先が上向きの時には内部の逆止ボールが弁部を塞いで逆流を防止し筆記時など下向きの時にはインキ流路を確保した逆流防止機構を内包するリフィール、などを有するノック式筆記具とするとさらに効果的である。
【０００９】
請求項３に記載の発明に係るノック式筆記具は、請求項１、２に記載のノック式筆記具に於いて、上述の回転子の受け面に孔、溝、突起等の空気流通手段が設けられることでリフィール後端の空気孔の通気を阻害することをなくした上で、インキ収容管後端には内径又は外径の少なくとも一方に面取りを有する事で、前後方向の移動のみならず回転に対してもスムーズな動作が要求される本発明の補助的構成として、インキ収容管と回転子の接触抵抗を減らすようにした。
【００１０】
【実施例】
図１乃至図３は本発明のノック式筆記具の実施形態の１例を示しており、図１は非筆記時でリフィールを収納している状態を図示し、図２はペン先突出状態を図示しており、図３はペン先突出状態の後端部拡大図である。
図４、図５は本発明のノック式筆記具に搭載されるボールペンのリフィールの実施形態の一例を示している。又、ボールペンのリフィール１に適用されるインキ１７は常温での粘度が１０から５０００ｍＰａ・Ｓの中粘度の粘性を有した水性、低粘度の油性インキ等の中低粘度インキであり、望ましくは剪断減粘性の特性を有した物である。
図６は本発明のカム機構の動作の概略を図示した物である。
【００１１】
図に示すようにチップ１２は、インキ流入可能なチャンネル部１４を有したボール受け座１４ａと、カシメ部１４ｂに先端ボール１３が略当接した状態で、先端ボール１３が回転自在に抱持されるよう内方にカシメられている。チャンネル部１４に付いて詳説すると、チップ１２で先端ボール１３の背面に、筆圧がかかった時に当接するボール受け座１４ａと先端ボール１３がカシメ部１４ｂの内縁に密接するように先端ボール１３の背面を押圧する弾性体５が、チップ１２の内部にインクの流路を阻害することなく配設されている。
【００１２】
先端ボール１３がカシメ部１４ｂの内面に密接することは筆記先端の乾燥、インキの直流防止に対し極めて重要である。当該実施例の形態チップ１２を金属製とした場合には特に先端ボール１３を抱持するチップ内面の表面粗さ、カシメによる密接精度を改善する為に内面を先端ボール１３と略同等のＲを有した面とするとさらに効果的である。
【００１３】
継ぎ手２は先端にチップ１２の軸部を圧着し、後端側にはインキ収容管１６の前端に圧着される。又、継ぎ手２の内孔部１０の後方には逆止ボール１５が遊嵌している弁室７があり、弁室７の後方にはテーパー状又は半球面状の逆止ボール受け座８と軸心に対し適宜偏心して設けられた導孔９とが設けられ、内孔部１０がインキ収容管１６の内孔に連通している。又、弁室７の内壁の一側には軸方向にインキ１７が流れるように溝部１１を設けている。この弁室７内に遊嵌している逆止ボール１５は、チップ１２を下向きにした状態では、チップ１２の後端に偏った状態に接してインキ流路を形成し、インキ収容管１６のインキ１７は導孔９を通り前記溝部、前記インキ流路をなどを通じてチップ内に流入する。逆に上向きの状態では逆止ボール１５が逆止ボール受け座８に密接してインキの逆流を防止する機能が得られる。
【００１４】
インキ収容管１６内には上記ボールペンのインキ１７が充填され、更に、このインキ１７の後端にインキの消耗と共にインキ面に接触して追随して移動可能なグリース状の半透明難乾性物から成るフォロアー１８が充填される。又、落下やノック衝撃等による変形を防止するために必要に応じてフォロアー１８内にフォローと略同等の比重を有する樹脂製のフォロアー棒１９が浸漬される。尚、上記インキ収容管１６はクリアドレン性（インキ消耗時のインキやフォロワーの付着する事）に優れた材質を選定する事が望ましい。一例として透明ＰＰ樹脂成形品等が使用され、インキの残量を確認することができる。又、インキ収容管は継ぎ手２と一体に形成することも可能である。
【００１５】
上記ボールペンのリフィール１の筆記部先端には８０℃から１５０℃で溶融するホットメルトタイプの先端シール材２５を付着させて、インキの揮発を抑えると共に、筆記部先端を保護すると長期保存性などが良くなる。それによって、製造されてから筆記を開始するまでのトラブルを回避することができる。
【００１６】
軸機構について詳述すると、まず、軸筒は前軸部３、後軸部４で構成されている。このノック式筆記具では、ボールペンのリフィール１がリターンスプリング２４によって後方へ附勢されており、この力は回転子２２、ノック棒２３に伝えられ、最後はクリップ２１に設けられた係止片２１ｃで受けている。クリップ２１は、軸筒内部に設けた係止片２１ｃの後端に形成された係止突起が後軸部４に設けられた係止窓に係止して後軸部４に対し固定される。
【００１７】
図６は、後軸部４、クリップ２１、回転子２２、ノック棒２３の展開図の一部とその時の回転子２２の位置を示した正面図で、回転カム機構部の流れを示しており、Ａ，Ｂ，Ｃ，Ｄの順序で最後は再びＡの状態にもどり、この間に筆記部の出没動作が１回行われる。これに基づいて回転カム機構部を説明する。ノック棒２３とボールペンのリフィール１の間には回転子２２が設けられており、ノック棒２３を押圧することにより、ノック棒２３のカム斜面２３ａとこれに対応する回転子２２のカム斜面２２ｃにより軸線方向に加えられた力が周方向の回転力に変換される。このとき、ノック棒２３には回転止め２３ｂが設けられており、クリップ２１にはこの回転止め２３ｂに対応する溝が配設されているため、ノック棒２３は周方向に回転せず、回転子２２のみが周方向に所定角回転するように構成されている。
【００１８】
ノック動作の初期段階では回転子２２のカム２２ａの側面と後軸部４のカム側面で回転規制が働き、回転子２２は回転しないが、一定距離ノック動作が行われるとこの回転規制がはずれて回転子２２は所定角度だけ回転する（図６−Ｂ）。この時、回転子２２はボールペンのリフィール１を通してリターンスプリング２４により常に後方へ附勢されておりノック棒２３への押圧を止めたときには、回転子２２のカム斜面２２ａとこれに対応する後軸部４のカム斜面２０ａにより回転子２２がさらに所定角度だけ回転し、一定角度回転したところで回転子２２の突状の係止部２２ｂがクリップ２１の玉部２２ａに形成した係止面２１ｂに係合されて、筆記先端部が前軸部３より突出した状態となる。
【００１９】
ここで図６のＢからＣの状態になる時を詳説すると、回転子２２のカム斜面２２ａが後軸部４のカム斜面２０ａに沿って移動しながら後退すると同時に、回転子２２の係止部２２ｂも同じ軌跡を描きながら移動することになるが、この時、回転子２２の係止部２２ｂがクリップ玉部の係止面２１ｂに係合するには、クリップ玉部２１ａの下端面に干渉することなく通過できなければならない。このためには回転子２２のカム斜面２２ａが移動する距離Ｒを大きく設定するか、後軸部４のカム斜面２０ａの傾斜角θをより鈍角にすればよいが、前者の方法ではノックストロークが大きくなるので操作性が悪くなり、後者の方法では回転子２２のカム斜面２２ａが後軸部４のカム斜面２０ａ上で停止してしまう恐れがあるので動作の確実性に欠ける。ここでは一例として傾斜角θを４５゜から６５゜の間にすることが望ましい。さらに、この問題を解決するためにはクリップ玉部２１ａの側壁面の下端面を回転子２２の係止部２２ｂが干渉しないで通過できる高さに設定すればよい。但し、もう一方の側壁面の下端面を反対側の側壁面の下端面と同じ高さにしてしまうと係合の確実性がなくなってしまうので、側壁面の下端面は回転子２２の筒外径に干渉しない範囲で差をつけて大きくすることが望ましい。又、クリップ玉部の係止面２１ｂの端面は側壁面の下端面ともう一方の側壁面の下端面を滑らかにつなぐ斜面または曲面とすることで、クリップを衣服に抜き差しする際、ひっかからずにスムースに行うことができる。
【００２０】
筆記部が前軸部３より突出された状態からノック棒２３を押圧すると、ノック棒２３前端のカム斜面２３ａと回転子２２のカム斜面２２ｃの迎合作用によりクリップ玉部の係止面２１ｂと回転子２２の係止部２２ｂとの係合が解除される。ここでノック棒２３への押圧をやめると回転子２２のカム斜面２２ａが後軸２０のカム斜面２０ａに沿って回転しながら後退され、筆記先端部が前軸部３の先端口内に収納される。この時、回転子２２は初期状態と同様の位置にセットされている。つまり、再度ノック棒２３を押圧すれば、突出動作が可能な状態になっている。さらに、突出状態の解除は、ノック棒２３を押圧しなくても、クリップ２１ａの玉部が上方に持ち上げられることにより回転子２２の係止部２２ｂとクリップ玉部の係止面２１ｂとの係合がはずれ、ノック棒２３を押圧したときと同様に筆記先端部が前軸部３の先端口内に収納される。このため、筆記先端部を突出させたままポケットへ差そうとすると、筆記先端部が自動的に収納されて衣服を汚すなどの事故を未然に防ぐことが可能となる。
これらの動作に必要なノック棒、回転子、後軸内面に形成したカム斜面は適宜形状や角度やカムの数を選択できる。
【００２１】
又、本発明では、回転子２２の係止部２２ｂよりも軸方向先端側にリフィール１の後端を有するように配置し、回転子２２のリフィール１の空気孔６との連通可能な通気孔を設けた上で、インク収容管１６の空気孔６の大きさがインク収容管１６の最小内径と同等かそれ以上に設定してある。具体的な一例としてはインク収容管１６を押し出し成形によって内外径を略同一のパイプ状に成形して、継手２などの部品を固定するときにインク収容管１６の内径を広げる方向にのみ圧入固定してある。インク収容管後端に尾栓（図示せず）などを固定する場合にはフォロワー１８が接触する可能性のある部分の空気孔内径がインク収容管の最小径よりも大きくする事が望まれる。これによって軸径を太くすることなく、かつリフィール１の後端付近のフォロワーの汚れが服に付着してしまう問題が無くなる。さらには、インク収容管後端（又は尾栓後端）など回転子２２と接触する部分には内外径の少なくともどちらかに面取りを付加することによって、後端の接触部がバリやエッジによって回転子２２に食い込んでしまって、カム機構による回転子２２の回転阻害をすることなく安定した動作を確保できるようになる。カム部にシリコンオイルや鉱油などのオイル類、粘度のあるグリス類、２硫化モリブデンやテフロン粉などの固体潤滑剤、などの潤滑剤を塗布した場合にはさらに本発明の筆記具の動作が安定した物になる。
主に最も有効な中粘度ボールペンのリフィールについて詳述したが、本発明の筆記具としてはペン先が出たままでは服を汚してしまう一般的な筆記具であるサインペン、万年筆、マーカー、クレヨン状の半固形筆記具などのペン先揮発防止対策をした物であれば使用可能である。
【００２２】
【作用】
先ず、ボールペンのリフィールの実施形態に付いて説明する。
ボールペンのリフィール１は、弾性体５の押圧で先端ボール１３がチップのカシメ部１４ｂの内縁に密接されるのでインキの直流が防止される。又、筆圧により先端ボール１３が微小に後退するので隙間を生じてインキ１７が流出可能となり、筆記により先端ボール１３の回転でインキ１７がスムーズに流出され、ボテが無く、筆跡濃度の高い筆記が可能となる。
【００２３】
チップ１２を上向きにした状態に於いて、その逆止ボール１５が弁室７のボール弁受け座８に位置して導孔９を密閉するので、上向き筆記されてチップの先端ボール１３背面のインキがなくなっても、インキにヘッドが掛かり逆流することがない。従って、チップ１２を下向きにした時にはインキがすぐに流出可能となり、筆記で掠れが防止される。（因みに逆止ボールを有しない構造では、上向き筆記でインキが逆流方向に作用するのでチップ内に空気を巻き込み、下向き筆記で即インキが追随せず掠れが生じる）
【００２４】
チップ１２を下向きにした筆記状態に於いては、逆止ボール１５がチップ１２後端の一方に偏った状態に当接し、他方にはチップ１２内にインキが流入可能な流路が構成され、インキ収容管１６から導孔９を経て弁室７に入ったインキ１７は先端ボール１３の背面まで誘導される。
ところで、弾性体５の作用で通常はインキの直流と逆流は防止可能となるが、衝撃や上向き筆記で空気が巻き込まれたり、先端ボールとボール抱持部の密接不完全（加工ばらつきやゴミの巻き込み等が原因）な場合に筆記掠れやインキの逆流を生じる問題がある。そこで導孔９を密閉する逆止ボール１５を併用することで確実にその問題が解決可能となる。
【００２５】
一方、後軸４後方に突出するノック棒２３を押圧することによって、ボールペンのリフィール１の筆記先端部を先軸の先端口より突出させて筆記可能とするノック式ボールペンに於いては、クリップ２１に設けたクリップ玉部の係止面２１ｂと回転子２２の係止部２２ｂとが係合することで筆記先端部の突出状態を保持できるため、クリップ２１ａの玉部を持ち上げるとこの係合が解除されて筆記先端部が前軸部３の先端口内に収納される。この為、筆記先端部が先軸の先端口より突出したままポケットに差してしまっても自動的に筆記先端部が先軸の先端口内に収納されインキで服を汚してしまう事故を未然に防ぐことができる。ノック棒２３を押圧をすることのみの操作で筆記部の突出と収納が可能な上、筆記部を収納する際の衝撃はノック棒に接触している指によりかなり緩められるため従来は不可能であった低粘度インキを充填したボールペンのリフィールの搭載が可能となった。又、回転子の係止部２２ｂが後軸４の外側に突出しておらず、クリップ玉部２１ａにも突出した角部分がないためポケットなどへの抜き差しをスムーズに行うことができ、又、ノックストロークを短くできる上に動作の確実性を向上し、操作性を向上することが可能となる。
さらに軸径を細くして外観を向上させる事が可能となり、製造上どうしてもグリス状のフォロワーがリフィール外径後端側に付着してしまい、結果的に軸に窓を開けて服が軸の内部に直接入ってフォロワーで服を汚す上述の構成の欠点を補うことができる。
回転子２２のリフィール１との接触部付近に空気置換を確保する手段採った上で、リフィールの後端の内径外径の少なくとも一方に面取りをつけることによって、本発明の回転子２２の回転、移動、係止という複雑で３次元的な動きをスムーズにさせる事が可能となり、安価で安定した性能のノック式筆記具を提供できるようになる作用を有する。
【００２６】
【発明の効果】
本発明のノック式筆記具の構成及び作用は以上の如くであり、外観がスマートで、服を汚すなどの事故を未然に防ぐ効果のある安全性の高いノック式筆記具の機能が得られる。又、ノック操作のみで筆記先端部の出没が行えるので、使い勝手がよく、構造が簡単なので組立が容易で安価に提供可能となる。
さらには中低粘度のインキが充填されてもインキの逆流、直流現象が生じず、ペン先の耐乾燥性が維持されてシールキャップ不要のボールペンのリフィールが提供可能となり、そのボールペンのリフィールを製造するときにも、脱泡不良の問題やリフィール後端のグリスの拭き取りを気にすることなく製造可能となって安定的に大量生産が可能な筆記具を提供することができる。
【図面の簡単な説明】
【図１】本発明のノック式筆記具の実施形態である全体のリフィール収納時構造を示す縦断面図である。
【図２】本発明のノック式筆記具の実施形態である全体のリフィール突出時構造を示す縦断面図である。
【図３】実施形態であるノック式筆記具の後方部を拡大して示した縦断面図である。
【図４】実施形態であるノック式筆記具のリフィールの全体を示した縦断面図である。
【図５】実施形態であるリフィールの先端部を示した拡大縦断面図である。
【図６】実施形態であるノック式筆記具の回転カム機構部の動作及びクリップ玉部の係止面と回転子の係止部との係合関係を説明した図である。
【符号の説明】
１  リフィール
２  継ぎ手
３  前軸部
４  後軸部
５  チップ弾性体
６  空気孔
７  弁室
８  逆止ボール受け座
９  導孔
１０  内孔部
１１  溝部
１２  チップ
１３  先端ボール
１４  チャンネル部
１４ａ  ボール受け座
１４ｂ  カシメ部
１５  逆止ボール
１６  インキ収容管
１７  インキ
１８  フォロアー
１９  フォロアー棒
２０ａ  カム斜面
２０ｂ  係止窓
２１  クリップ
２１ａ  クリップ玉部
２１ｂ  係止面
２１ｃ  係止片
２２  回転子
２２ａ  カム斜面ａ
２２ｂ  係止部
２２ｃ  カム斜面ｃ
２３  ノック棒
２３ａ  カム斜面
２３ｂ  回転止め
２４  リターンスプリング
２５  先端シール材
２６  面取り
【図１】
0003758802.tif 000002
【図２】
0003758802.tif 000003
【図３】
0003758802.tif 000004
【図４】
0003758802.tif 000005
【図５】
0003758802.tif 000006
【図６】
0003758802.tif 000007